(57)【要約】【課題】本発明は、防浸型点灯装置および照明器具に関し、点灯装置を安価で防水加工できる防浸型点灯装置および照明器具を得ることを目的とする。【解決手段】本発明に係る防浸型点灯装置は、本体と、該本体の主面に設けられ、光源を点灯させる点灯装置と、上面と該上面と反対側の面である裏面とを有し、該裏面が該主面と密着し、該主面と密着する部分が該点灯装置を囲むパッキンと、該パッキンの該上面と密着し、該パッキンと密着する部分が該点灯装置を囲み、該点灯装置を覆う防浸ケースと、を備える。【選択図】図１
2019102176.tif 000002
【特許請求の範囲】
【請求項１】
本体と、
前記本体の主面に設けられ、光源を点灯させる点灯装置と、
上面と前記上面と反対側の面である裏面とを有し、前記裏面が前記主面と密着し、前記主面と密着する部分が前記点灯装置を囲むパッキンと、
前記パッキンの前記上面と密着し、前記パッキンと密着する部分が前記点灯装置を囲み、前記点灯装置を覆う防浸ケースと、
を備えることを特徴とする防浸型点灯装置。
【請求項２】
前記防浸ケースは、固定部を有し、前記固定部によって前記防浸ケースと前記主面との間に前記パッキンを挟んだ状態で前記主面に固定され、
前記防浸ケースが前記主面と固定されることで、前記主面と前記パッキンは密着し、前記パッキンと前記防浸ケースは密着することを特徴とする請求項１に記載の防浸型点灯装置。
【請求項３】
前記固定部は、前記防浸ケースと前記主面とを4箇所以上で固定することを特徴とする請求項２に記載の防浸型点灯装置。
【請求項４】
前記点灯装置を前記主面に押し付ける点灯装置押さえをさらに備えることを特徴とする請求項１から３の何れか１項に記載の防浸型点灯装置。
【請求項５】
前記点灯装置は、前記主面と接する部分に接地用端子を備え、
前記接地用端子と前記主面とは電気的に接続されることを特徴とする請求項１から４の何れか１項に記載の防浸型点灯装置。
【請求項６】
前記パッキンには貫通孔が設けられ、
前記点灯装置に接続される配線は、前記貫通孔を通って前記パッキンの外側に引き出されることを特徴とする請求項１から５の何れか１項に記載の防浸型点灯装置。
【請求項７】
前記配線は前記貫通孔を埋めることを特徴とする請求項６に記載の防浸型点灯装置。
【請求項８】
前記パッキンは、前記主面からの高さが周囲よりも高い凸部を有し、
前記凸部に前記貫通孔が設けられることを特徴とする請求項６または７に記載の防浸型点灯装置。
【請求項９】
前記防浸ケースは、前記凸部と嵌合する凹部を有することを特徴とする請求項８に記載の防浸型点灯装置。
【請求項１０】
前記パッキンの前記上面には溝が設けられ、
前記防浸ケースは前記溝に差し込まれることを特徴とする請求項１から９の何れか１項に記載の防浸型点灯装置。
【請求項１１】
前記溝を形成する前記パッキンの側面は前記防浸ケースと弾性力を持って接することを特徴とする請求項１０に記載の防浸型点灯装置。
【請求項１２】
光源と、
請求項１から１１の何れか１項に記載の防浸型点灯装置と、
を備えることを特徴とする照明器具。
【請求項１３】
前記光源は、前記本体の前記主面と反対の面に設けられることを特徴とする請求項１２に記載の照明器具。
【発明の詳細な説明】
【技術分野】
【０００１】
本発明は、防浸型点灯装置および照明器具に関する。
【背景技術】
【０００２】
特許文献１には、防水用照明器具が開示されている。この防水用照明器具は、安定器を収納する筒状のケースと、ケースの両端に当接するパッキンとを備える。
【先行技術文献】
【特許文献】
【０００３】
【特許文献１】特許第４３０５０９３号公報
【発明の概要】
【発明が解決しようとする課題】
【０００４】
一般に、防水用など特殊環境での使用を目的とする照明器具が求められることがある。このような特殊環境用の照明器具の需要は、照明器具全体の需要と比較して少ない。このため、通常の環境下で使用する汎用品に防水などの機能を後から付加し、特殊環境用に用いることが一般に行われる。
【０００５】
特許文献１では、防水の機能を得るために筒状のケースに点灯装置を収納しその両端をパッキン等で塞ぐ。これにより、密閉した空間に点灯装置を収納している。しかし、筒状のケースは、一般に押し出し加工などで作るため高価となり易い。
【０００６】
本発明は、上述の課題を解決するためになされたもので、点灯装置を安価で防水加工できる防浸型点灯装置および照明器具を得ることを目的とする。
【課題を解決するための手段】
【０００７】
本発明に係る防浸型点灯装置は、本体と、該本体の主面に設けられ、光源を点灯させる点灯装置と、上面と該上面と反対側の面である裏面とを有し、該裏面が該主面と密着し、該主面と密着する部分が該点灯装置を囲むパッキンと、該パッキンの該上面と密着し、該パッキンと密着する部分が該点灯装置を囲み、該点灯装置を覆う防浸ケースと、を備える。
【発明の効果】
【０００８】
本発明に係る防浸型点灯装置では、筒状のケースを用いずに点灯装置を防水加工できる。従って、安価で防水加工できる。
【図面の簡単な説明】
【０００９】
【図１】実施の形態１に係る防浸型点灯装置の分解斜視図である。
【図２】実施の形態１に係る防浸型点灯装置の斜視図である。
【図３】実施の形態２に係る防浸型点灯装置の断面図である。
【図４】実施の形態２に係る点灯装置と点灯装置押さえの斜視図である。
【図５】実施の形態２に係るパッキンの斜視図である。
【図６】実施の形態２の変形例に係る照明器具の断面図である。
【図７】実施の形態３に係る防浸型点灯装置の斜視図である。
【発明を実施するための形態】
【００１０】
本発明の実施の形態に係る防浸型点灯装置および照明器具について図面を参照して説明する。同じ又は対応する構成要素には同じ符号を付し、説明の繰り返しを省略する場合がある。
【００１１】
実施の形態１．
図１は、実施の形態１に係る防浸型点灯装置１００の分解斜視図である。図２は、実施の形態１に係る防浸型点灯装置１００の斜視図である。図２は、防浸型点灯装置１００が組み立てられた状態を示す。防浸型点灯装置１００は本体５０を備える。本体５０は平板状である。本体５０の主面５１には４つのねじ穴５２が設けられる。ねじ穴５２は、防浸型点灯装置１００が組み立てられた状態で、防浸ケース３０の外側となる位置に設けられる。
【００１２】
本体５０の主面５１には光源を点灯させる点灯装置１０が設けられる。点灯装置１０は、ＬＥＤまたは蛍光灯などの光源を点灯させる汎用の点灯装置である。点灯装置１０は複数の電子部品から構成される。点灯装置１０は、ケース１１を備える。ケース１１は例えば金属から形成される。ケース１１には、例えばバックコンバータ回路等の点灯回路が形成された回路基板が収納されている。これに限らず、点灯装置１０はケース１１を備えなくても良い。つまり、点灯装置１０は基板単体で主面５１に設けられても良い。この場合には、点灯装置１０は絶縁板等で他の部分と絶縁される。
【００１３】
点灯装置１０は端子１２を有する。端子１２は点灯装置１０の長手方向の両側に設けられる。図２に示されるように、端子１２には配線１３が接続される。配線１３を介し、端子１２の一方は外部電源と接続され、他方は光源と接続される。なお、図１では配線１３は省略されている。
【００１４】
防浸型点灯装置１００は、パッキン２０を備える。パッキン２０は弾性力を有する材料で形成されることが望ましい。パッキン２０は上面と、上面と反対側の面である裏面とを有する。パッキン２０は裏面が主面５１と接するように、主面５１に設けられる。パッキン２０は長方形である。パッキン２０の長手方向は、点灯装置１０の長手方向と平行である。パッキン２０の中央部には上面から裏面に貫通する開口が設けられる。パッキン２０の開口には点灯装置１０が設けられる。主面５１において、パッキン２０は点灯装置１０を囲む。
【００１５】
パッキン２０の長手方向に伸びる一対の側面の各々には、２つの切り欠き２１が設けられる。パッキン２０には４つの切り欠き２１が設けられる。各々の切り欠き２１は、パッキン２０の上面と、長手方向に伸びる外側の側面とが切り取られることで形成される。切り欠き２１によって、パッキン２０には周囲よりも主面５１からの高さが低い部分が形成される。
【００１６】
パッキン２０には貫通孔２２が設けられる。貫通孔２２は、パッキン２０の長手方向の両側の端部にそれぞれ設けられる。図２に示されるように、点灯装置１０に接続される配線１３は、貫通孔２２を通ってパッキン２０の外側に引き出される。
【００１７】
配線１３が貫通孔２２に挿入されていない状態では、貫通孔２２の径は配線１３の径よりも小さい。これにより、配線１３が貫通孔２２に挿入された状態で、配線１３は貫通孔２２を埋める。配線１３が貫通孔２２を隙間無く埋めるため、防浸型点灯装置１００の内部を密閉できる。また、貫通孔２２を形成するパッキン２０の側面が、配線１３と弾性力を持って接するものとしても良い。また、配線１３は貫通孔２２に圧入されてもよい。
【００１８】
パッキン２０に対して主面５１と反対側には防浸ケース３０が設けられる。防浸ケース３０は、パッキン２０の上面と接する。図２に示されるように、防浸ケース３０は点灯装置１０を覆う。防浸ケース３０は上面３３と上面３３を囲む縁部３５を有する。上面３３は長方形の平板状である。上面３３の長手方向は、点灯装置１０およびパッキン２０の長手方向と平行である。
【００１９】
縁部３５は、上面３３の端部から主面５１に向かって延びる。縁部３５はパッキン２０の長手方向に沿って延びる一対の側面３１と、パッキン２０の短手方向に沿って延びる一対の側面３２を有する。防浸ケース３０は主面５１に対向する一面が開口した筐体である。縁部３５は点灯装置１０を囲む。縁部３５の上面３３と反対側の端部は、パッキン２０に接する。
【００２０】
パッキン２０は、縁部３５に沿って設けられる。防浸ケース３０のパッキン２０と接する部分よりも上面３３側には、防浸ケース３０の内側から外側に貫通する隙間が設けられない。また、防浸ケース３０は、例えば金属または樹脂から形成される。防浸ケース３０は透明の樹脂から形成されても良い。これにより、汎用品である点灯装置１０に製品情報等を示すラベルが設けられている場合に、ラベルを防浸ケース３０の外側から視認できる。
【００２１】
防浸ケース３０は、４つの固定部３４を有する。各々の固定部３４は、縁部３５の主面５１側の端部に設けられる。各々の固定部３４は、縁部３５から防浸ケース３０の外側に向かって延びる。一対の側面３１の各々において、主面５１側の端部に２つの固定部３４が設けられる。各々の固定部３４はねじ穴を備える。また、防浸型点灯装置１００は４つのねじ４０を備える。ねじ４０は、防浸ケース３０を本体５０に固定する。
【００２２】
防浸型点灯装置１００が組み立てられた状態において、４つの固定部３４は４つの切り欠き２１とそれぞれ嵌合する。また、４つの固定部３４のねじ穴は、本体５０の４つのねじ穴５２と重なるように設けられる。各々の固定部３４において、ねじ４０は固定部３４のねじ穴と主面５１のねじ穴５２に挿入される。これにより、防浸ケース３０と主面５１とはねじ止めされる。固定部３４は、防浸ケース３０と主面５１とを４箇所で固定する。また、固定部３４と主面５１によって、パッキン２０のうち切り欠き２１の底の部分が挟まれる。
【００２３】
防浸ケース３０は、固定部３４によって、防浸ケース３０と主面５１との間にパッキン２０を挟んだ状態で主面５１に固定される。パッキン２０は防浸ケース３０と主面５１に挟まれることで、弾性力を発生させる。従って、主面５１は、パッキン２０から弾性力を受けてパッキン２０と接触する。同様に、防浸ケース３０は、パッキン２０から弾性力を受けてパッキン２０と接触する。
【００２４】
本実施の形態では、パッキン２０は防浸ケース３０と主面５１に挟まれることで、防浸ケース３０と主面５１に対して接触圧を加える。よって、防浸ケース３０が主面５１と固定されることで、主面５１とパッキン２０は密着する。また、防浸ケース３０が主面５１と固定されることで、パッキン２０と防浸ケース３０は密着する。このとき、主面５１とパッキン２０は隙間なく接する。また、防浸ケース３０とパッキン２０は隙間なく接する。
【００２５】
防浸型点灯装置１００が組み立てられた状態では、パッキン２０の裏面が主面５１と密着する。パッキン２０の主面５１と密着する部分は、点灯装置１０を囲む。つまり、主面５１において、パッキン２０の主面５１と密着する部分は、点灯装置１０を隙間無く囲み、点灯装置１０とパッキン２０の外側とを隔てる。
【００２６】
また、防浸型点灯装置１００が組み立てられた状態では、防浸ケース３０はパッキン２０の上面と密着する。このとき、防浸ケース３０のパッキン２０と密着する部分が点灯装置１０を囲む。つまり、防浸ケース３０の開口面を形成する端部は、パッキン２０と隙間無く密着する。防浸ケース３０の開口面を形成する端部は、全域がパッキン２０と密着する。
【００２７】
パッキン２０は、防浸ケース３０と本体５０との間に配置され、防浸ケース３０と本体５０との間の隙間を塞ぐ。パッキン２０は、防浸型点灯装置１００が組み立てられたときに、防浸ケース３０および本体５０との間に隙間ができないように設計される。従って、点灯装置１０は、主面５１、パッキン２０、防浸ケース３０および配線１３によって密閉された空間に配置される。この密閉された空間は、気密性が高いものである。
【００２８】
本実施の形態では、本体５０、防浸ケース３０およびパッキン２０によって汎用の点灯装置１０を防水加工できる。従って、高価な筒状のケースを使用することなく、安価で点灯装置１０を防水加工できる。
【００２９】
本実施の形態では、防浸ケース３０のパッキン２０と接する部分よりも上面３３側には、隙間が設けられない。これに限らず、防浸ケース３０は、防浸型点灯装置１００が組み立てられた状態で、パッキン２０と接する部分よりも上面３３側に隙間がなければよい。例えば、配線１３を通す貫通孔２２は、防浸ケース３０に設けられても良い。この場合、防浸型点灯装置１００が組み立てられた状態では、貫通孔２２は配線１３で隙間無く埋められる。
【００３０】
また、防浸ケース３０の形状は、図１、２に示されるものに限られない。防浸ケース３０は、パッキン２０の上面と密着し、パッキン２０と密着する部分が点灯装置１０を囲み、点灯装置１０を覆う構造であれば良い。例えば、防浸ケース３０は、曲面を有しても良く、ドーム状であっても良い。
【００３１】
また、パッキン２０の形状は、図１、２に示されるものに限られない。パッキン２０は、防浸ケース３０の開口面を形成する端部の全域と密着するように設けられれば良い。例えば、防浸ケース３０の縁部３５が曲面を有する場合には、パッキン２０は縁部３５に沿って湾曲しても良い。また、パッキン２０の上面と裏面は平面でなくても良く、曲面または凹凸を有しても良い。
【００３２】
また、本実施の形態ではねじ止めにより、防浸ケース３０と本体５０とを固定した。これに限らず、防浸ケース３０と本体５０とを固定できれば、固定部３４として他の構造または方法を用いても良い。例えば、固定部３４はリベット等を有しても良い。
【００３３】
また、点灯装置１０は、一般に長方形の製品が多い。このため、防浸ケース３０も長方形となることが多い。防浸ケース３０が長方形の場合、少なくとも四隅の近傍で本体５０と固定をしなければ、一般に気密性を保つことが難しい。このため、固定部３４は、防浸ケース３０と主面５１とを４箇所以上で固定することが望ましい。
【００３４】
また、固定部３４は、防浸ケース３０の長手方向に沿った中心線および短手方向に沿った中心線に対して、対称に配置されると良い。これにより、防浸ケース３０とパッキン２０の接触圧を防浸型点灯装置１００の全体で均一にし、気密性を高めることができる。
【００３５】
本実施の形態では、固定部３４は、防浸ケース３０と主面５１とを４箇所で固定する。これに限らず、固定部３４は、防浸ケース３０と主面５１とを例えば６箇所で固定しても良い。この場合、一対の側面３１の各々において、図１に示される２つの固定部３４の間にさらに固定部３４を設けると良い。これにより、更に気密性を高めることができる。
【００３６】
また、本体５０のねじ穴５２はパッキン２０の外側となる位置に設けられる。主面５１には、防浸型点灯装置１００が組み立てられた状態でパッキン２０の内側となる位置に穴または隙間がない。このため、防浸型点灯装置１００の気密性を確保できる。
【００３７】
また、主面５１のパッキン２０の内側となる位置に、ねじ穴が設けられていても良い。このねじ穴は、例えば、防浸ケース３０、パッキン２０、点灯装置１０または本体５０を組み立てまたは固定するために設けられる。この場合、必要に応じて、主面５１にねじの下穴を設けておくとよい。これにより、本体５０のパッキン２０の内側となる位置に、ねじによって貫通孔が形成されることを防止できる。従って、防浸型点灯装置１００の気密性を確保できる。
【００３８】
これらの変形は以下の実施の形態に係る防浸型点灯装置および照明器具について適宜応用することができる。なお、以下の実施の形態に係る防浸型点灯装置および照明器具については実施の形態１との共通点が多いので、実施の形態１との相違点を中心に説明する。
【００３９】
実施の形態２．
図３は、実施の形態２に係る防浸型点灯装置２００の断面図である。防浸型点灯装置２００は、点灯装置押さえ２６０をさらに備える。また、パッキン２２０の構造が実施の形態１と異なる。これ以外は実施の形態１と同様である。
【００４０】
点灯装置押さえ２６０はケース１１の上面に設けられる。また、点灯装置押さえ２６０は防浸ケース３０の上面３３と接する。点灯装置押さえ２６０は、点灯装置１０と防浸ケース３０との隙間を埋める。点灯装置押さえ２６０は弾性力のある材料で形成される。点灯装置押さえ２６０は、例えば放熱ＰＡＤである。点灯装置押さえ２６０は、ケース１１の上面に貼り付けられる。または、点灯装置押さえ２６０は、ケース１１の上面に固定されず設けられても良い。
【００４１】
点灯装置押さえ２６０は、防浸ケース３０に収納されていない状態で、ケース１１の上面と防浸ケース３０との間隔よりも厚く設けると良い。この場合、防浸型点灯装置２００が組み立てられた状態において、点灯装置１０は点灯装置押さえ２６０からの弾性力を受けて点灯装置押さえ２６０と接する。このため、点灯装置押さえ２６０は、点灯装置１０を主面５１に押し付ける。また、防浸型点灯装置２００が組み立てられた状態において、防浸ケース３０は点灯装置押さえ２６０からの弾性力を受けて点灯装置押さえ２６０と接する。
【００４２】
点灯装置１０は、主面５１と接する部分に接地用端子１４を備える。点灯装置１０のケース１１は金属から形成される。ケース１１に収納される回路基板の接地用端子は、ケース１１に接続される。点灯装置１０は、ケース１１から接地される。つまり、ケース１１は、点灯装置１０の接地用端子１４となる。また、主面５１は防浸型点灯装置２００の接地用端子である。点灯装置押さえ２６０によって点灯装置１０が主面５１に押し付けられることで、接地用端子１４と主面５１とは電気的に接続される。
【００４３】
また、パッキン２２０の上面には溝２２３が設けられる。防浸ケース３０は溝２２３に差し込まれる。本実施の形態では、防浸ケース３０の開口面を形成する端部が溝２２３に差し込まれる。防浸ケース３０が溝２２３に差し込まれていない状態では、溝２２３の幅は、防浸ケース３０の厚さよりも小さい。これにより、防浸ケース３０が溝２２３に差し込まれた状態で、溝２２３を形成するパッキン２２０の側面は、防浸ケース３０と弾性力を持って接する。また、防浸ケース３０は溝２２３に圧入されてもよい。
【００４４】
図４は、実施の形態２に係る点灯装置１０と点灯装置押さえ２６０の斜視図である。点灯装置押さえ２６０は平板状である。点灯装置押さえ２６０の長手方向は、点灯装置１０の長手方向と平行である。
【００４５】
図５は、実施の形態２に係るパッキン２２０の斜視図である。溝２２３は、縁部３５の形状に対応するようにパッキン２２０の上面に設けられる。防浸型点灯装置２００が組み立てられた状態で、溝２２３は点灯装置１０を囲む。縁部３５の上面３３と反対側の端部は、全て溝２２３に差し込まれる。切り欠き２２１は、パッキン２２０のうち溝２２３に対して外側の部分を切り欠くことで形成される。
【００４６】
実施の形態１では、防浸ケース３０と本体５０によって囲まれた空間において、点灯装置１０は固定されていない。このため、本体５０と接地用端子１４とが導通しない可能性がある。これに対し、本実施の形態では、点灯装置押さえ２６０によって点灯装置１０は主面５１に押し付けられ、固定される。従って、点灯装置１０の接地用端子１４と本体５０とを確実に導通させることができる。
【００４７】
一般に、汎用の点灯装置１０ではケース１１が接地用端子１４となっていることがある。このような場合に、本実施の形態では、防浸ケース３０の開口面において、点灯装置１０の接地用端子１４と主面５１とを接触させることができる。従って、点灯装置１０から接地用の配線を引き出さずに、接地用端子１４と主面５１とを電気的に接続させることができる。一方で、筒状の防浸ケースを用いた場合には、接地用端子１４と主面５１とを直接接触させることは難しい。以上から、本実施の形態では防浸型点灯装置２００の配線を削減できる。
【００４８】
また、防浸ケース３０がパッキン２２０の溝２２３に圧入されることで、実施の形態１と比較して、防浸ケース３０とパッキン２２０の接触面積が大きくなる。また、防浸ケース３０がパッキン２２０から外れにくくなる。これにより、防浸型点灯装置２００の気密性を高めることができる。
【００４９】
さらに、溝２２３に防浸ケース３０を差し込むことで、パッキン２２０と防浸ケース３０とを組み合わせてから、別の作業を行うことができる。このため、防浸型点灯装置２００の組立作業の効率を向上できる。また、点灯装置押さえ２６０が放熱パッドである場合には、点灯装置１０を効率よく放熱できる。
【００５０】
本実施の形態の変形例として、防浸型点灯装置２００は点灯装置押さえ２６０を複数備えても良い。例えば、図４に示されるよりも小さい点灯装置押さえ２６０を点灯装置１０の両端に２つ設けても良い。これにより、防浸型点灯装置２００に用いられる点灯装置押さえ２６０の量を低減できる。また、点灯装置押さえ２６０が放熱パッドである場合、点灯装置押さえ２６０を、点灯装置１０のうち発熱量が多い部分に設けても良い。また、点灯装置押さえ２６０は、防浸ケース３０に貼り付けられていても良い。
【００５１】
また、点灯装置押さえ２６０は放熱パッドでは無くても良く、弾性力を有さなくても良い。また、点灯装置押さえ２６０は点灯装置１０のケース１１の上面以外に設けられても良い。点灯装置押さえ２６０として、点灯装置１０と主面５１を接触させるあらゆる構造を採用できる。
【００５２】
また、本実施の形態ではケース１１の全体が点灯装置１０の接地用端子１４であるものとした。これに限らず、点灯装置１０の主面５１と接触する部分に接地用端子１４が設けられれば良い。また、ケース１１は、点灯装置１０の接地用端子１４では無くても良い。この場合も、点灯装置押さえ２６０によって、点灯装置１０を主面５１に固定できるという効果が得られる。
【００５３】
図６は、実施の形態２の変形例に係る照明器具２０１の断面図である。照明器具２０１は、光源７２と、防浸型点灯装置２００とを備える。光源７２は、本体５０の主面５１と反対の面５３に設けられる。光源７２は、例えばＬＥＤである。
【００５４】
照明器具２０１は器具本体部７４を備える。器具本体部７４は例えば天井８０に取り付けられる。これに限らず照明器具２０１は、壁または屋外などに設置されても良い。器具本体部７４には、防浸型点灯装置２００が取り付けられる。また、本体５０の主面５１と反対の面５３には光源基板７１が設けられる。光源基板７１には光源７２が設けられる。光源７２の光出射方向にはカバー７３が設けられる。
【００５５】
変形例において、本体５０は光源基板７１が取り付けられる部品である。つまり、本体５０は、通常の照明器具に予め設けられた部品を利用したものである。このように、本体５０は防浸型点灯装置２００のために別個に用意しなくても良い。これにより、照明器具２０１の製造コストを低減できる。また、通常の照明器具にパッキン２２０、防浸ケース３０および点灯装置押さえ２６０を追加することで、防水機能を備えた照明器具２０１を得ることができる。
【００５６】
照明器具２０１の構造は図６に示されるものに限られない。例えば、本体５０は、照明器具２０１の別の部品を利用したものであっても良い。
【００５７】
実施の形態３．
図７は、実施の形態３に係る防浸型点灯装置３００の斜視図である。防浸型点灯装置３００は、パッキン３２０と防浸ケース３３０の構造が実施の形態１と異なる。その他の構造は実施の形態１と同様である。図７では便宜上、点灯装置１０と本体５０は省略されている。
【００５８】
パッキン３２０は、主面５１からの高さが周囲よりも高い凸部３２４を有する。凸部３２４はパッキン３２０の長手方向の両側の端部にそれぞれ設けられる。各々の凸部３２４には貫通孔３２２が設けられる。また、パッキン３２０の上面には溝３２３が設けられる。防浸ケース３３０は溝３２３に差し込まれる。防浸型点灯装置３００が組み立てられた状態で、溝３２３は点灯装置１０を囲む。切り欠き３２１は、パッキン３２０のうち溝３２３に対して外側の部分を切り欠くことで形成される。
【００５９】
防浸ケース３３０は上面３３３と上面３３３を囲む縁部３３５を有する。縁部３３５はパッキン２２０の長手方向に沿って延びる一対の側面３３１と、パッキン２０の短手方向に沿って延びる一対の側面３３２を有する。縁部３３５の主面５１側の端部には、４つの固定部３３４が設けられる。
【００６０】
防浸ケース３３０は、凸部３２４と嵌合する凹部３３６を有する。凹部３３６は、側面３３２のパッキン３２０側の端部を切り欠くことで形成される。
【００６１】
実施の形態１ではパッキン２０の主面５１からの高さは一定であった。この場合、パッキン２０の側面に貫通孔２２を設けるために、パッキン２０の主面５１からの高さを大きくする必要が生じる場合がある。これに対し、本実施の形態では、パッキン３２０に凸部３２４を形成し、凸部３２４に貫通孔３２２が設けられる。貫通孔３２２の周辺のみパッキン３２０を厚くすることで、パッキン３２０の他の部分を薄く形成できる。これにより、組み立て後の防浸型点灯装置３００の高さを抑制できる。
【００６２】
本実施の形態では凸部３２４はパッキン３２０の長手方向の両側の端部にそれぞれ設けられた。これに限らず、凸部３２４はパッキン３２０の別の部分に設けられても良い。
【００６３】
なお、各実施の形態で説明した技術的特徴は適宜に組み合わせて用いてもよい。
【符号の説明】
【００６４】
２０１  照明器具、１００、２００、３００  防浸型点灯装置、１０  点灯装置、１３  配線、１４  接地用端子、２０、２２０、３２０  パッキン、２２、３２２  貫通孔、２２３、３２３  溝、３２４  凸部、３０、３３０  防浸ケース、３４、３３４  固定部、３３６  凹部、５０  本体、５１  主面、５３  面、２６０  点灯装置押さえ、７２  光源
【図１】
2019102176.tif 000003
【図２】
2019102176.tif 000004
【図３】
2019102176.tif 000005
【図４】
2019102176.tif 000006
【図５】
2019102176.tif 000007
【図６】
2019102176.tif 000008
【図７】
2019102176.tif 000009